(57)【要約】【課題】複数台の携帯端末に対する操作を簡易化できる情報処理システム、携帯端末、機能実行方法及びプログラムを提供する。【解決手段】複数の携帯端末１０それぞれは、命令情報を受信する命令情報受信部１５３と、選択状態であるか否かを判定する状態判定部１５５と、選択状態でない場合、命令情報が示す命令が自携帯端末を選択する選択命令であるか否かを特定し、選択状態である場合、命令情報が示す命令がいずれの機能の実行命令であるかを特定する命令特定部１５９と、選択命令であると特定された場合、自携帯端末１０の状態を非選択状態から選択状態に移行させる状態制御部１６１と、いずれの機能の実行命令であるか特定された場合、当該特定された機能の実行命令に基づいて、当該機能を実行する機能実行部１６３と、を備え、情報処理装置２０は、命令情報を生成する命令情報生成部２５３と、命令情報を送信する命令情報送信部２５５と、を備える。【選択図】図５
2018046477.tif 000002
【特許請求の範囲】
【請求項１】
複数の携帯端末と、当該複数の携帯端末と無線通信して当該複数の携帯端末の動作を制御する情報処理装置と、を備える情報処理システムであって、
前記複数の携帯端末それぞれは、
前記情報処理装置から、命令を示す命令情報を受信する命令情報受信部と、
自携帯端末の状態が前記情報処理装置により選択されている選択状態であるか否かを判定する状態判定部と、
前記自携帯端末の状態が前記選択状態でないと判定された場合、前記命令情報が示す命令が前記自携帯端末を選択する選択命令であるか否かを特定し、前記自携帯端末の状態が前記選択状態であると判定された場合、前記命令情報が示す命令がいずれの機能の実行命令であるかを特定する命令特定部と、
前記命令が前記選択命令であると特定された場合、前記自携帯端末の状態を非選択状態から前記選択状態に移行させる状態制御部と、
前記命令がいずれの機能の実行命令であるか特定された場合、当該特定された機能の実行命令に基づいて、当該機能を実行する機能実行部と、を備え、
前記情報処理装置は、
前記命令情報を生成する命令情報生成部と、
前記命令情報を送信する命令情報送信部と、を備える情報処理システム。
【請求項２】
前記命令特定部は、前記命令情報が示す命令が前記選択状態を解除させる選択解除命令であるか否かを特定し、
前記状態制御部は、前記命令が前記選択解除命令であると特定された場合、前記自携帯端末の状態を前記非選択状態に移行させる請求項１に記載の情報処理システム。
【請求項３】
前記複数の携帯端末それぞれは、
前記情報処理装置に定期的に電波を送信することにより、前記情報処理装置に定期的に送電する送電部を更に備え、
前記情報処理装置は、
複数の入出力ポートと、
前記送電が行われている間、前記情報処理装置を起動させる起動部と、を更に備え、
前記命令情報生成部は、前記情報処理装置が起動されると、前記複数の入出力ポートそれぞれのオン／オフ状態に基づいて、前記命令情報を生成する請求項１又は２に記載の情報処理システム。
【請求項４】
前記情報処理装置は、ユーザが手に装着する装着物に搭載されており、
前記装着物の各指に対応する箇所には、電極が搭載されており、
前記電極のいずれかは、グランドに接続されており、
前記複数の入出力ポートそれぞれには、前記グランドに接続されていない電極が接続されており、
前記入出力ポートのオン／オフ状態は、当該入出力ポートに接続されている電極と、前記グランドに接続されていない電極との接続状態により定まる請求項３に記載の情報処理システム。
【請求項５】
前記命令情報が示す命令は、前記複数の入出力ポート数分のビット値で表される請求項３又は４に記載の情報処理システム。
【請求項６】
前記状態制御部は、前記命令特定部により、前記命令情報受信部により連続して受信された複数回分の命令情報が示す全ての命令が前記選択命令であると特定された場合、前記自携帯端末の状態を前記非選択状態から前記選択状態に移行させる請求項１〜５のいずれか１つに記載の情報処理システム。
【請求項７】
情報処理装置との無線通信により動作が制御される携帯端末であって、
前記情報処理装置から、命令を示す命令情報を受信する命令情報受信部と、
前記携帯端末の状態が前記情報処理装置により選択されている選択状態であるか否かを判定する状態判定部と、
前記携帯端末の状態が前記選択状態でないと判定された場合、前記命令情報が示す命令が前記携帯端末を選択する選択命令であるか否かを特定し、前記携帯端末の状態が前記選択状態であると判定された場合、前記命令情報が示す命令がいずれの機能の実行命令であるかを特定する命令特定部と、
前記命令が前記選択命令であると特定された場合、前記携帯端末の状態を非選択状態から前記選択状態に移行させる状態制御部と、
前記命令がいずれの機能の実行命令であるか特定された場合、当該特定された機能の実行命令に基づいて、当該機能を実行する機能実行部と、
を備える携帯端末。
【請求項８】
情報処理装置との無線通信により動作が制御される携帯端末で実行される機能実行方法であって、
前記情報処理装置から、命令を示す命令情報を受信する命令情報受信ステップと、
前記携帯端末の状態が前記情報処理装置により選択されている選択状態であるか否かを判定する状態判定ステップと、
前記携帯端末の状態が前記選択状態でないと判定された場合、前記命令情報が示す命令が前記携帯端末を選択する選択命令であるか否かを特定し、前記携帯端末の状態が前記選択状態であると判定された場合、前記命令情報が示す命令がいずれの機能の実行命令であるかを特定する命令特定ステップと、
前記命令が前記選択命令であると特定された場合、前記携帯端末の状態を非選択状態から前記選択状態に移行させる状態制御ステップと、
前記命令がいずれの機能の実行命令であるか特定された場合、当該特定された機能の実行命令に基づいて、当該機能を実行する機能実行ステップと、
を含む機能実行方法。
【請求項９】
情報処理装置との無線通信により動作が制御される携帯端末に、
前記情報処理装置から、命令を示す命令情報を受信する命令情報受信ステップと、
前記携帯端末の状態が前記情報処理装置により選択されている選択状態であるか否かを判定する状態判定ステップと、
前記携帯端末の状態が前記選択状態でないと判定された場合、前記命令情報が示す命令が前記携帯端末を選択する選択命令であるか否かを特定し、前記携帯端末の状態が前記選択状態であると判定された場合、前記命令情報が示す命令がいずれの機能の実行命令であるかを特定する命令特定ステップと、
前記命令が前記選択命令であると特定された場合、前記携帯端末の状態を非選択状態から前記選択状態に移行させる状態制御ステップと、
前記命令がいずれの機能の実行命令であるか特定された場合、当該特定された機能の実行命令に基づいて、当該機能を実行する機能実行ステップと、
を実行させるためのプログラム。
【発明の詳細な説明】
【技術分野】
【０００１】
本発明は、情報処理システム、携帯端末、機能実行方法及びプログラムに関する。
【背景技術】
【０００２】
従来から、スマート端末、携帯電話、及び携帯型音楽プレーヤーなどのようにユーザが所持して持ち歩く携帯端末が知られている。また、近年では、上述したような携帯端末として、ユーザが身に着けて持ち運ぶことが可能な眼鏡型、腕時計型、及びバンド型などのウェアラブル端末も普及している。このため、近年では、ユーザが複数台の携帯端末を所持している（身に着けている）ことも多い。
【０００３】
ここで、上述のように、ユーザが複数台の携帯端末を所持している場合に、各携帯端末の操作方法が異なると、操作方法が複雑になり、ユーザに煩わしさを与えてしまう。例えば、ある携帯端末では、当該携帯端末に搭載されているスイッチやタッチパネルなどで操作を行い、別の携帯端末では、当該携帯端末用のリモートコントローラで操作を行い、更に別の携帯端末では、ユーザの手や眼の動作を利用したジェスチャーで操作を行うとなると、ユーザは、操作に煩わしさを感じてしまう。
【０００４】
このため、ユーザが所持している各携帯端末を統一された操作方法で操作できるようにすることで、ユーザが所持している複数台の携帯端末に対する操作を簡易化する方法が考えられる。
【０００５】
例えば特許文献１には、信号ケーブルを介して複数の機器と接続されている操作盤を用いて、当該複数の機器の動作を制御する技術が開示されている。特許文献１に開示された技術によれば、操作盤を用いて操作を行うことにより、当該操作盤と信号ケーブルを介して接続されている複数の機器を統一された操作方法で操作できる。
【発明の概要】
【発明が解決しようとする課題】
【０００６】
しかしながら、上述した特許文献１に開示された技術は、複数の機器と操作盤とが有線で接続されていることを前提とした技術であるため、無線通信を前提とする各携帯端末を、統一された操作方法で操作できるようにするという技術思想には適用できない。
【０００７】
本発明は、上記事情に鑑みてなされたものであり、複数台の携帯端末に対する操作を簡易化できる情報処理システム、携帯端末、機能実行方法及びプログラムを提供することを目的とする。
【課題を解決するための手段】
【０００８】
上述した課題を解決し、目的を達成するために、本発明の一態様にかかる情報処理システムは、複数の携帯端末と、当該複数の携帯端末と無線通信して当該複数の携帯端末の動作を制御する情報処理装置と、を備える情報処理システムであって、前記複数の携帯端末それぞれは、前記情報処理装置から、命令を示す命令情報を受信する命令情報受信部と、自携帯端末の状態が前記情報処理装置により選択されている選択状態であるか否かを判定する状態判定部と、前記自携帯端末の状態が前記選択状態でないと判定された場合、前記命令情報が示す命令が前記自携帯端末を選択する選択命令であるか否かを特定し、前記自携帯端末の状態が前記選択状態であると判定された場合、前記命令情報が示す命令がいずれの機能の実行命令であるかを特定する命令特定部と、前記命令が前記選択命令であると特定された場合、前記自携帯端末の状態を非選択状態から前記選択状態に移行させる状態制御部と、前記命令がいずれの機能の実行命令であるか特定された場合、当該特定された機能の実行命令に基づいて、当該機能を実行する機能実行部と、を備え、前記情報処理装置は、前記命令情報を生成する命令情報生成部と、前記命令情報を送信する命令情報送信部と、を備える。
【発明の効果】
【０００９】
本発明によれば、複数台の携帯端末に対する操作を簡易化できるという効果を奏する。
【図面の簡単な説明】
【００１０】
【図１】図１は、本実施形態の情報処理システムの一例を示す模式図である。
【図２】図２は、本実施形態の手袋型の装着物の一例を示す模式図である。
【図３】図３は、本実施形態の携帯端末のハードウェア構成の一例を示すブロック図である。
【図４】図４は、本実施形態の情報処理装置のハードウェア構成の一例を示すブロック図である。
【図５】図５は、本実施形態の携帯端末及び情報処理装置の機能構成の一例を示すブロック図である。
【図６】図６は、本実施形態の情報処理システムで行われる処理の一例を示すシーケンス図である。
【図７】図７は、本実施形態の携帯端末で行われる命令特定処理の一例を示すフローチャート図である。
【発明を実施するための形態】
【００１１】
以下、添付図面を参照しながら、本発明にかかる情報処理システム、携帯端末、機能実行方法及びプログラムの実施形態を詳細に説明する。
【００１２】
図１は、本実施形態の情報処理システム１の一例を示す模式図である。図１に示すように、情報処理システム１は、複数の携帯端末１０−１、１０−２と、当該複数の携帯端末１０−１、１０−２と無線通信して当該複数の携帯端末１０−１、１０−２の動作を制御する情報処理装置２０と、を備える。つまり、本実施形態の情報処理装置２０は、複数の携帯端末１０−１、１０−２の動作を無線通信により制御するリモートコントローラとして機能する。
【００１３】
情報処理装置２０としては、例えば、ＩＣ（Integrated  Circuit）やアンテナを有するＲＦＩＤ（Radio  Frequency  Identifier）タグなどが挙げられるが、これに限定されるものではない。なお、図１に示すように、本実施形態では、情報処理装置２０が、ユーザが手に装着する手袋型の装着物３０に搭載されており、この装着物３０を手に装着しているユーザが、複数の携帯端末１０−１、１０−２を所持している（身に着けている）ものとする。
【００１４】
また、以下の説明では、携帯端末１０−１、１０−２を各々区別する必要がない場合は、単に携帯端末１０と称する場合がある。また、図１に示す例では、複数の携帯端末１０として、携帯端末１０−１、１０−２の２台を例示しているが、携帯端末１０の台数はこれに限定されず、３台以上であってもよい。また、図１に示す例では、携帯端末１０−１が、眼鏡型のウェアラブル端末であり、携帯端末１０−２が、バンド型のウェアラブル端末である場合を例示しているが、携帯端末１０は、ウェアラブル端末に限定されず、スマート端末、携帯電話、及び携帯型音楽プレーヤーなどのようにユーザが所持して持ち歩く端末であってもよい。また、ウェアラブル端末は、上記以外にも腕時計型などユーザが身に着けて持ち運ぶことが可能な端末であればよい。
【００１５】
図２は、本実施形態の手袋型の装着物３０の一例を示す模式図である。前述したように、手袋型の装着物３０には、情報処理装置２０が搭載されている。また、手袋型の装着物３０の小指に対応する箇所には電極２１が搭載され、薬指に対応する箇所には電極２２が搭載され、中指に対応する箇所には電極２３が搭載され、人差し指に対応する箇所には電極２４が搭載され、親指に対応する箇所には電極２５が搭載されている。
【００１６】
電極２１〜２５は、情報処理装置２０と接続されている。なお、電極２１〜２４については、情報処理装置２０内の後述する汎用のＩＯ（入出力）ポートに接続されている。また、電極２５については、情報処理装置２０内でＧＮＤ（グランド）と接続されており、接地されている。
【００１７】
そして情報処理装置２０は、電極２５と電極２１〜２４との接続（オン／オフ）状態に従って、携帯端末１０の動作を無線通信により制御する。つまり本実施形態では、ユーザは、手袋型の装着物３０を手に装着した状態で、親指（詳細には、電極２５）と、親指以外の１以上の指（詳細には、電極２１、２２、２３、２４のうちの１以上の電極）とを、接続（オン）することで、携帯端末１０を動作させる。
【００１８】
図３は、本実施形態の携帯端末１０のハードウェア構成の一例を示すブロック図である。図３に示すように、携帯端末１０は、ＣＰＵ（Central  Processing  Unit）１０１と、ＲＡＭ（Random  Access  Memory）１０２と、ＲＯＭ（Read  Only  Memory）１０３と、ディスプレイ１０４と、ネットワークＩ／Ｆ１０５と、ＲＦＩＤリーダ１０６と、電源ユニット１０７と、を備える。
【００１９】
ＣＰＵ１０１は、携帯端末１０の動作を統括的に制御する。具体的には、ＣＰＵ１０１は、ＲＡＭ１０２をワークエリアとしてＲＯＭ１０３に格納されたプログラム（例えば、ＯＳ（Operating  System）やアプリケーション）を実行することで、携帯端末１０全体の動作を制御する。なお、ＲＯＭ１０３は、フラッシュＲＯＭなどデータの書き換えが可能な不揮発性のＲＯＭであり、携帯端末１０で行われる処理に使用されるデータなども記憶する。ディスプレイ１０４は、ＣＰＵ１０１による携帯端末１０の動作制御に伴い、各種画像（画面）を表示する。
【００２０】
ネットワークＩ／Ｆ１０５は、無線ＬＡＮ（Local  Area  Network）などを介して、外部装置と無線通信するためのインタフェースである。ＲＦＩＤリーダ１０６は、ＲＦＩＤタグ同様、ＩＣやアンテナを有しており、このアンテナから電波を発することにより、ＲＦＩＤタグ（情報処理装置２０）との間で近距離無線通信を行い、ＲＦＩＤタグから情報を取得する。なお本実施形態では、ＲＦＩＤリーダ１０６が発する電波は、近距離無線通信対象のＲＦＩＤタグ（情報処理装置２０）に電力を供給する送電の役割も担う。具体的には、ＲＦＩＤリーダ１０６は、電波方式として電力伝送方式を採用し、主に無変調波と搬送波（変調波）を組み合わせることで、送電とコマンド送信（主に、ＲＦＩＤタグに対する情報の読み取りを要求する読取コマンド）を行うことができる。
【００２１】
電源ユニット１０７は、バッテリーなどの二次電池から携帯端末１０を構成する各ハードウェアに電力を供給するための電源制御を行う。
【００２２】
図４は、本実施形態の情報処理装置２０のハードウェア構成の一例を示すブロック図である。図４に示すように、情報処理装置２０は、アンテナ２０１と、整流回路２０２と、ＩＯ（入出力）ポート２０３−１〜２０３−４と、ＩＣ２０４と、を備える。
【００２３】
アンテナ２０１は、携帯端末１０から発せられた電波を受信するとともに、この受信した電波の一部を反射波として、ＩＣ２０４から指示された情報を乗せて返す。整流回路２０２は、アンテナ２０１により受信された電波（無変調波）を整流し、昇圧することで、ＩＣ２０４に電力を供給する。これにより、ＩＣ２０４は起動する。このように本実施形態では、情報処理装置２０が、電池を内蔵する必要のない（無電源の）パッシブ型のＲＦＩＤタグである場合を例に取り説明するが、これに限定されるものではない。
【００２４】
ＩＯポート２０３−１〜２０３−４は、汎用の入出力ポートであり、ＩＯポート２０３−１は、電極２１と接続され、ＩＯポート２０３−２は、電極２２と接続され、ＩＯポート２０３−３は、電極２３と接続され、ＩＯポート２０３−４は、電極２４と接続されている。
【００２５】
ここで、ＩＯポート２０３−１は、電極２１（小指）が電極２５（親指）と接続されていれば（オンであれば）、Ｈｉｇｈレベル（１）をＩＣ２０４に出力し、電極２１（小指）が電極２５（親指）と接続されていなければ（オフであれば）、Ｌｏｗレベル（０）をＩＣ２０４に出力する。同様に、ＩＯポート２０３−２は、電極２２（薬指）が電極２５（親指）と接続されていれば（オンであれば）、Ｈｉｇｈレベル（１）をＩＣ２０４に出力し、電極２２（薬指）が電極２５（親指）と接続されていなければ（オフであれば）、Ｌｏｗレベル（０）をＩＣ２０４に出力する。同様に、ＩＯポート２０３−３は、電極２３（中指）が電極２５（親指）と接続されていれば（オンであれば）、Ｈｉｇｈレベル（１）をＩＣ２０４に出力し、電極２３（中指）が電極２５（親指）と接続されていなければ（オフであれば）、Ｌｏｗレベル（０）をＩＣ２０４に出力する。同様に、ＩＯポート２０３−４は、電極２４（人差し指）が電極２５（親指）と接続されていれば（オンであれば）、Ｈｉｇｈレベル（１）をＩＣ２０４に出力し、電極２４（人差し指）が電極２５（親指）と接続されていなければ（オフであれば）、Ｌｏｗレベル（０）をＩＣ２０４に出力する。
【００２６】
ＩＣ２０４は、前述のように、整流回路２０２により電力が供給されると起動する。ＩＣ２０４は、起動すると、アンテナ２０１により受信された電波（搬送波）からコマンドを復号し、復号したコマンドが読取コマンドであれば、ＩＯポート２０３−１〜２０３−４の出力値を読み取って、４ビットのデータ長の情報を生成する。この４ビットのデータ長の情報としては、例えば、０ビット目の値をＩＯポート２０３−４の出力値、１ビット目の値をＩＯポート２０３−３の出力値、２ビット目の値をＩＯポート２０３−２の出力値、３ビット目の値をＩＯポート２０３−１の出力値としたビット値などが挙げられるが、これに限定されるものではない。但し、データ長は、これに限定されず、拡張性等を考慮してＩＯポート数以上のデータ長としてもよい。
【００２７】
このように本実施形態では、親指と親指以外の１以上の指との接続有無により、少なくとも４ビットのデータ長のビット値で１６種類（００００〜１１１１）の情報を表現できる。つまり本実施形態では、情報処理装置２０は、携帯端末１０に対し、少なくとも１６種類の動作制御を行うことができる。なお、親指と親指以外の１以上の指との接続時間により、短押しや長押しなども区別するようにすれば、表現可能な情報数（動作制御の種類）を増加できる。
【００２８】
そしてＩＣ２０４は、生成した４ビットのデータ長の情報及び予め保持している情報処理装置２０の識別情報（例えば、ユニークＩＤ）などを用いて、アンテナ２０１により受信された電波（搬送波）の一部を変調し、この変調した電波を反射波として、携帯端末１０に返す。なお、ユニークＩＤのデータ長としては、例えば、９６ビットや１２８ビットなどが挙げられる。この後、ＩＣ２０４は、整流回路２０２による電力の供給終了に伴い、電源オフする。
【００２９】
図５は、本実施形態の携帯端末１０及び情報処理装置２０の機能構成の一例を示すブロック図である。図５に示すように、携帯端末１０は、送電部１５１と、命令情報受信部１５３と、状態判定部１５５と、記憶部１５７と、命令特定部１５９と、状態制御部１６１と、機能実行部１６３と、を含む。送電部１５１及び命令情報受信部１５３は、例えば、ＣＰＵ１０１、ＲＡＭ１０２、及びＲＦＩＤリーダ１０６などにより実現できる。状態判定部１５５、命令特定部１５９、状態制御部１６１、及び機能実行部１６３は、例えば、ＣＰＵ１０１及びＲＡＭ１０２などにより実現できる。記憶部１５７は、例えば、ＲＡＭ１０２やＲＯＭ１０３などにより実現できる。
【００３０】
また、図５に示すように、情報処理装置２０は、起動部２５１と、命令情報生成部２５３と、命令情報送信部２５５と、を含む。起動部２５１は、例えば、アンテナ２０１、整流回路２０２、及びＩＣ２０４などにより実現できる。命令情報生成部２５３は、例えば、ＩＯポート２０３−１〜２０３−４及びＩＣ２０４などにより実現できる。命令情報送信部２５５は、例えば、アンテナ２０１及びＩＣ２０４などにより実現できる。
【００３１】
送電部１５１は、情報処理装置２０に定期的（例えば、１００ｍｓｅｃ毎）に電波を送信することにより、情報処理装置２０に定期的に送電する。なお、詳細は後述するが、本実施形態では、記憶部１５７に情報処理装置２０の識別情報（例えば、前述のユニークＩＤ）を記憶しておくことで、当該情報処理装置２０により自携帯端末１０の動作制御が可能となる。このため、記憶部１５７に自携帯端末１０を動作制御する情報処理装置２０の識別情報が記憶されている場合に、送電部１５１は、上述の定期的な送電を行うようにしてもよい。このようにすれば、不要な電力消費を抑制できる。
【００３２】
起動部２５１は、携帯端末１０により送電が行われると、情報処理装置２０を起動させる。従って、携帯端末１０により１００ｍｓｅｃ毎に送電が行われる場合、起動部２５１は、１００ｍｓｅｃ毎に、情報処理装置２０を起動させる。
【００３３】
命令情報生成部２５３は、携帯端末１０に対する命令を示す命令情報を生成する。命令情報としては、前述の４ビットのデータ長の情報及び情報処理装置２０の識別情報が挙げられる。なお本実施形態では、命令情報が示す命令の種別として、機能の実行対象の携帯端末１０を選択するための選択命令、選択命令で選択された携帯端末１０に機能の実行を命令する機能の実行命令、及び選択命令で選択された携帯端末１０の選択を解除するための選択解除命令が挙げられる。但し、本実施形態では、命令情報が示す命令が、選択命令であるか機能の実行命令であるかは、携帯端末１０側で当該携帯端末１０の状態により判断されるため、選択命令の値とある機能の実行命令の値とが同一であっても構わない（詳細には、４ビットのデータ長の情報の値が同一であっても構わない）。
【００３４】
命令情報送信部２５５は、命令情報生成部２５３により生成された命令情報を携帯端末１０に送信する。
【００３５】
命令情報受信部１５３は、情報処理装置２０から送信された命令情報を受信する。
【００３６】
状態判定部１５５は、自携帯端末１０の状態が情報処理装置２０により選択されている選択状態であるか否かを判定する。具体的には、記憶部１５７には、自携帯端末１０の状態が選択状態であるか非選択状態であるかを示す選択状態情報が記憶されており、命令情報受信部１５３により命令情報が受信されると、状態判定部１５５は、この選択状態情報を用いて、自携帯端末１０の状態が選択状態であるか否かを判定する。
【００３７】
命令特定部１５９は、命令情報受信部１５３により受信された命令情報が示す命令がいずれの命令であるかを特定する。本実施形態では、命令特定部１５９は、命令情報受信部１５３により受信された命令情報が示す命令が、選択状態を解除させる選択解除命令であるか否かを特定する。また命令特定部１５９は、命令情報受信部１５３により受信された命令情報が示す命令が選択状態を解除させる選択解除命令でない場合、状態判定部１５５により自携帯端末１０の状態が選択状態でないと判定されていれば、当該命令が自携帯端末１０を選択する選択命令であるか否かを特定する。また命令特定部１５９は、命令情報受信部１５３により受信された命令情報が示す命令が選択状態を解除させる選択解除命令でない場合、状態判定部１５５により自携帯端末１０の状態が選択状態であると判定されていれば、当該命令がいずれの機能の実行命令であるかを特定する。
【００３８】
具体的には、記憶部１５７には、自携帯端末１０の動作制御が可能な情報処理装置２０の識別情報（例えば、前述のユニークＩＤ）、選択解除命令を示す４ビットのデータ長の情報（例えば、１１１１）である選択解除命令特定情報、選択命令を示す４ビットのデータ長の情報（例えば、０００１）である選択命令特定情報、及び機能を示す機能識別情報毎に当該機能の実行命令を示す４ビットのデータ長の情報（例えば、１１１１以外の値）が対応付けられた実行命令特定情報が記憶されている。選択命令特定情報の値は、携帯端末１０毎に異なる。また、機能としては、自携帯端末１０が有する機能であればどのようなものでもよい。また、記憶部１５７への情報処理装置２０の識別情報や選択命令特定情報などの記憶（登録）は、例えば、外部装置からネットワークＩ／Ｆ１０５を介した無線通信によりＣＰＵ１０１に指示され、ＣＰＵ１０１により行うことができる。
【００３９】
そして命令特定部１５９は、まず、命令情報受信部１５３により受信された命令情報に含まれる情報処理装置２０の識別情報が記憶部１５７に記憶されているか否か判定し、記憶されていれば、当該命令情報が示す命令が自携帯端末１０に対する命令であると特定し、記憶されていなければ、当該命令情報が示す命令が自携帯端末１０に対する命令でないと特定する。
【００４０】
続いて、命令特定部１５９は、命令情報受信部１５３により受信された命令情報が示す命令が自携帯端末１０に対する命令である場合、当該命令情報に含まれる４ビットのデータ長の情報が選択解除命令特定情報と一致するか否か判定し、一致すれば、当該命令情報が示す命令が選択解除命令であると特定し、一致しなければ、当該命令情報が示す命令が選択解除命令でないと特定する。
【００４１】
続いて、命令特定部１５９は、命令情報受信部１５３により受信された命令情報が示す命令が選択解除命令でない場合、状態判定部１５５により自携帯端末１０の状態が選択状態でないと判定されていれば、当該命令情報に含まれる４ビットのデータ長の情報が選択命令特定情報と一致するか否か判定し、一致すれば、当該命令情報が示す命令が選択命令であると特定し、一致しなければ、当該命令情報が示す命令が選択命令でないと特定する。
【００４２】
また、命令特定部１５９は、命令情報受信部１５３により受信された命令情報が示す命令が選択解除命令でない場合、状態判定部１５５により自携帯端末１０の状態が選択状態であると判定されていれば、当該命令情報が示す命令が、実行命令特定情報において、当該命令情報に含まれる４ビットのデータ長の情報に対応付けられた機能識別情報が示す機能の実行命令であると特定する。
【００４３】
状態制御部１６１は、命令特定部１５９により命令が選択解除命令であると特定された場合、自携帯端末１０の状態を選択状態から非選択状態に移行させる。具体的には、状態制御部１６１は、命令特定部１５９により命令が選択解除命令であると特定された場合、記憶部１５７に記憶されている選択状態情報が選択状態を示せば、非選択状態を示すように更新する。
【００４４】
また状態制御部１６１は、命令特定部１５９により命令が選択命令であると特定された場合、自携帯端末１０の状態を非選択状態から選択状態に移行させる。具体的には、状態制御部１６１は、命令特定部１５９により命令が選択命令であると特定された場合、記憶部１５７に記憶されている選択状態情報が非選択状態を示せば、選択状態を示すように更新する。
【００４５】
機能実行部１６３は、命令特定部１５９により命令がいずれの機能の実行命令であるか特定された場合、当該特定された機能の実行命令に基づいて、当該機能を実行し、必要であれば、ディスプレイ１０４への画面表示なども行う。
【００４６】
図６は、本実施形態の情報処理システム１で行われる処理の一例を示すシーケンス図であり、詳細には、情報処理装置２０が携帯端末１０−１を選択して動作制御を行う場合のシーケンス図である。なお、図６に示す例では、携帯端末１０−１及び携帯端末１０−２は、情報処理装置２０に送電可能な範囲内（例えば、情報処理装置２０から１ｍ以内）に位置しているものとする。また、図６に示す例では、選択解除命令特定情報の値が「１１１１」、携帯端末１０−１の選択命令特定情報の値が「０００１」、携帯端末１０−２の選択命令特定情報の値が「００１０」であり、処理開始時には、情報処理装置２０により携帯端末１０−２が選択されているものとする。また、図６に示す例では、動作制御により携帯端末１０−１が実行する機能が動画再生機能であり、実行命令特定情報では、動画再生機能の機能識別情報には、「１０００」が対応付けられている場合を例に取り説明するが、これに限定されるものではない。
【００４７】
まず、携帯端末１０−１の送電部１５１は、情報処理装置２０に送電する（ステップＳ１０１）。この後、携帯端末１０−１は、命令情報の受信待ち状態となる（ステップＳ１０３）。
【００４８】
続いて、情報処理装置２０の起動部２５１は、携帯端末１０−１により送電が行われると、情報処理装置２０を起動させる（ステップＳ１０５）。
【００４９】
続いて、情報処理装置２０の命令情報生成部２５３は、命令情報を生成する（ステップＳ１０７）。
【００５０】
ここでは、ユーザは、携帯端末１０−１、１０−２の双方を非選択状態にさせるため（情報処理装置２０により動作制御可能な全ての携帯端末１０を非選択状態に初期化するため）、電極２１（小指）、電極２２（薬指）、電極２３（中指）、及び電極２４（人差し指）を、電極２５（親指）と接続しているものとする。これにより、命令情報生成部２５３は、４ビットのデータ長の情報「１１１１」及び情報処理装置２０の識別情報を含む選択解除命令の命令情報を生成する。
【００５１】
続いて、情報処理装置２０の命令情報送信部２５５は、命令情報生成部２５３により生成された命令情報を送信し、携帯端末１０−１の命令情報受信部１５３は、命令情報の受信待ち状態であるため、当該命令情報を受信する（ステップＳ１０９）。
【００５２】
続いて、携帯端末１０−１の状態制御部１６１は、命令情報受信部１５３により受信された命令情報が示す命令が選択解除命令であるため、携帯端末１０−１の記憶部１５７に記憶されている選択状態情報が選択状態を示せば、非選択状態を示すように更新する（ステップＳ１１１）。これにより、携帯端末１０−１の状態は、非選択状態となる。
【００５３】
続いて、携帯端末１０−２の送電部１５１は、情報処理装置２０に送電する（ステップＳ１２１）。この後、携帯端末１０−２は、命令情報の受信待ち状態となる（ステップＳ１２３）。
【００５４】
続いて、情報処理装置２０の起動部２５１は、携帯端末１０−２により送電が行われると、情報処理装置２０を起動させる（ステップＳ１２５）。
【００５５】
続いて、情報処理装置２０の命令情報生成部２５３は、命令情報を生成する（ステップＳ１２７）。
【００５６】
ここでも、ユーザは、携帯端末１０−１、１０−２の双方を非選択状態にさせるため（情報処理装置２０により動作制御可能な全ての携帯端末１０を非選択状態に初期化するため）、電極２１（小指）、電極２２（薬指）、電極２３（中指）、及び電極２４（人差し指）を、電極２５（親指）と接続しているものとする。これにより、命令情報生成部２５３は、４ビットのデータ長の情報「１１１１」及び情報処理装置２０の識別情報を含む選択解除命令の命令情報を生成する。
【００５７】
続いて、情報処理装置２０の命令情報送信部２５５は、命令情報生成部２５３により生成された命令情報を送信し、携帯端末１０−２の命令情報受信部１５３は、命令情報の受信待ち状態であるため、当該命令情報を受信する（ステップＳ１２９）。
【００５８】
続いて、携帯端末１０−２の状態制御部１６１は、命令情報受信部１５３により受信された命令情報が示す命令が選択解除命令であるため、携帯端末１０−２の記憶部１５７に記憶されている選択状態情報が選択状態を示せば、非選択状態を示すように更新する（ステップＳ１３１）。これにより、携帯端末１０−２の状態も、非選択状態となる。
【００５９】
続いて、携帯端末１０−１の送電部１５１は、情報処理装置２０に送電する（ステップＳ１４１）。この後、携帯端末１０−１は、命令情報の受信待ち状態となる（ステップＳ１４３）。
【００６０】
続いて、情報処理装置２０の起動部２５１は、携帯端末１０−１により送電が行われると、情報処理装置２０を起動させる（ステップＳ１４５）。
【００６１】
続いて、情報処理装置２０の命令情報生成部２５３は、命令情報を生成する（ステップＳ１４７）。
【００６２】
ここでは、ユーザは、携帯端末１０−１を選択状態にさせるため、電極２４（人差し指）を電極２５（親指）と接続しているものとする。これにより、命令情報生成部２５３は、４ビットのデータ長の情報「０００１」及び情報処理装置２０の識別情報を含む選択命令の命令情報を生成する。
【００６３】
続いて、情報処理装置２０の命令情報送信部２５５は、命令情報生成部２５３により生成された命令情報を送信し、携帯端末１０−１の命令情報受信部１５３は、命令情報の受信待ち状態であるため、当該命令情報を受信する（ステップＳ１４９）。
【００６４】
続いて、携帯端末１０−１の状態制御部１６１は、命令情報受信部１５３により受信された命令情報が示す命令が携帯端末１０−１に対する選択命令であるため、携帯端末１０−１の記憶部１５７に記憶されている選択状態情報が非選択状態を示せば、選択状態を示すように更新する（ステップＳ１５１）。これにより、携帯端末１０−１の状態は、選択状態となる。
【００６５】
続いて、携帯端末１０−２の送電部１５１は、情報処理装置２０に送電する（ステップＳ１６１）。この後、携帯端末１０−２は、命令情報の受信待ち状態となる（ステップＳ１６３）。
【００６６】
続いて、情報処理装置２０の起動部２５１は、携帯端末１０−２により送電が行われると、情報処理装置２０を起動させる（ステップＳ１６５）。
【００６７】
続いて、情報処理装置２０の命令情報生成部２５３は、命令情報を生成する（ステップＳ１６７）。
【００６８】
ここでも、ユーザは、携帯端末１０−１を選択状態にさせるため、電極２４（人差し指）を電極２５（親指）と接続しているものとする。これにより、命令情報生成部２５３は、４ビットのデータ長の情報「０００１」及び情報処理装置２０の識別情報を含む選択命令の命令情報を生成する。
【００６９】
続いて、情報処理装置２０の命令情報送信部２５５は、命令情報生成部２５３により生成された命令情報を送信し、携帯端末１０−２の命令情報受信部１５３は、命令情報の受信待ち状態であるため、当該命令情報を受信する（ステップＳ１５９）。
【００７０】
続いて、携帯端末１０−２の命令特定部１５９は、命令情報受信部１５３により受信された命令情報が示す命令が携帯端末１０−１に対する選択命令であるため、当該命令を破棄する（ステップＳ１７１）。このため、携帯端末１０−２の状態は、非選択状態のままとなる。
【００７１】
続いて、携帯端末１０−１の送電部１５１は、情報処理装置２０に送電する（ステップＳ１８１）。この後、携帯端末１０−１は、命令情報の受信待ち状態となる（ステップＳ１８３）。
【００７２】
続いて、情報処理装置２０の起動部２５１は、携帯端末１０−１により送電が行われると、情報処理装置２０を起動させる（ステップＳ１８５）。
【００７３】
続いて、情報処理装置２０の命令情報生成部２５３は、命令情報を生成する（ステップＳ１８７）。
【００７４】
ここでは、ユーザは、携帯端末１０−１に動画再生機能を実行させるため、電極２１（小指）を電極２５（親指）と接続しているものとする。これにより、命令情報生成部２５３は、４ビットのデータ長の情報「１０００」及び情報処理装置２０の識別情報を含む動画再生機能の実行命令の命令情報を生成する。
【００７５】
続いて、情報処理装置２０の命令情報送信部２５５は、命令情報生成部２５３により生成された命令情報を送信し、携帯端末１０−１の命令情報受信部１５３は、命令情報の受信待ち状態であるため、当該命令情報を受信する（ステップＳ１８９）。
【００７６】
続いて、携帯端末１０−１の機能実行部１６３は、命令情報受信部１５３により受信された命令情報が示す命令が携帯端末１０−１に対する動画再生機能の実行命令であるため、当該動画再生機能を実行する（ステップＳ１９１）。
【００７７】
図７は、本実施形態の携帯端末１０で行われる命令特定処理の一例を示すフローチャート図であり、例えば、図６に示すシーケンス図のステップＳ１０９、Ｓ１２９、Ｓ１４９、Ｓ１６９、及びＳ１８９などで命令情報が受信されると実行される。
【００７８】
まず、命令情報受信部１５３により命令情報が受信されると（ステップＳ２０１）、状態判定部１５５は、記憶部１５７に記憶されている選択状態情報を用いて、自携帯端末１０の状態が選択状態であるか否かを判定する（ステップＳ２０３）。
【００７９】
続いて、命令特定部１５９は、命令情報受信部１５３により受信された命令情報に含まれる情報処理装置２０の識別情報が記憶部１５７に記憶されているか否か判定する（ステップＳ２０５）。識別情報が記憶されていない場合（ステップＳ２０５でＮｏ）、当該命令情報が示す命令が自携帯端末１０に対する命令でないと特定する。この場合、この後、状態制御部１６１による状態移行や機能実行部１６３による機能実行は行われない。
【００８０】
識別情報が記憶されている場合（ステップＳ２０５でＹｅｓ）、当該命令情報が示す命令が自携帯端末１０に対する命令であるため、命令特定部１５９は、当該命令情報に含まれる４ビットのデータ長の情報が選択解除命令特定情報と一致するか否か判定する（ステップＳ２０７）。一致する場合（ステップＳ２０７でＹｅｓ）、命令特定部１５９は、当該命令情報が示す命令が選択解除命令であると特定する（ステップＳ２０９）。この場合、この後、状態制御部１６１による非選択状態への移行が行われる。
【００８１】
選択解除命令でない場合（ステップＳ２０７でＮｏ）、状態判定部１５５により自携帯端末１０の状態が選択状態でないと判定されていれば（ステップＳ２１１でＮｏ）、命令特定部１５９は、当該命令情報に含まれる４ビットのデータ長の情報が選択命令特定情報と一致するか否か判定する（ステップＳ２１３）。一致する場合（ステップＳ２１３でＹｅｓ）、命令特定部１５９は、当該命令情報が示す命令が選択命令であると特定する（ステップＳ２１５）。この場合、この後、状態制御部１６１による選択状態への移行が行われる。なお、選択命令でない場合（ステップＳ２１３でＮｏ）、状態制御部１６１による状態移行や機能実行部１６３による機能実行は行われない。
【００８２】
また、選択解除命令でない場合（ステップＳ２０７でＮｏ）、状態判定部１５５により自携帯端末１０の状態が選択状態と判定されていれば（ステップＳ２１１でＹｅｓ）、命令特定部１５９は、当該命令情報が示す命令が、実行命令特定情報において、当該命令情報に含まれる４ビットのデータ長の情報に対応付けられた機能識別情報が示す機能の実行命令であると特定する（ステップＳ２１７）。この場合、この後、機能実行部１６３による機能実行が行われる。
【００８３】
以上のように本実施形態によれば、無線通信を前提とする各携帯端末を、統一された操作方法で操作できるため、複数台の携帯端末に対する操作を簡易化できる。特に本実施形態では、情報処理装置は、操作対象（機能の実行対象）の携帯端末を選択してから、当該携帯端末を操作する（機能を実行させる）ため、無線通信を前提とする各携帯端末を操作する場合であっても、操作対象ではない携帯端末を誤って操作してしまう（機能を実行させてしまう）ことを防止できる。
【００８４】
また本実施形態によれば、複数台の携帯端末を操作する情報処理装置は、手袋型の装着物に装着されており、ユーザは、この手袋型の装着物を装着し、指（詳細には、電極）同士を接続することにより、操作対象の携帯端末を操作するため、ユーザは、指を動かすだけで操作対象の携帯端末を操作できる。このため、ユーザが混み入った場所（例えば、満員電車）にいる場合や、ユーザが手に荷物を持っているような状況であっても、指を動かせれば、操作対象の携帯端末を操作できる。
【００８５】
また本実施形態によれば、指（詳細には、電極）同士を接続することにより、操作対象の携帯端末を操作するため、従来のように、操作子を見ながら操作を行う必要がなく、ユーザに対し、携帯端末を操作する際の視線の自由度を与えることができる。
【００８６】
また本実施形態によれば、複数台の携帯端末を操作する情報処理装置は、各携帯端末からの送電により起動し、当該携帯端末に対する操作を行うため、電源を備える必要がなく、省電力化及び小型化が可能となる。
【００８７】
（変形例）
上記実施形態において、状態制御部１６１は、命令特定部１５９により、命令情報受信部１５３により連続して受信された複数回分の命令情報が示す全ての命令が選択命令であると特定された場合、自携帯端末１０の状態を非選択状態から選択状態に移行させるようにしてもよい。なお、選択命令だけでなく、選択解除命令や、機能の実行命令に関しても、同様の手法を採用してもよい。また、連続して受信された回数ではなく、連続して受信された時間として、同様の手法を採用してもよい。
【００８８】
また上記実施形態では、情報処理装置の台数が１台である場合を例に取り説明したが、情報処理装置２０の台数は２台であってもよい。つまり、上記実施形態で説明した装着物３０を、右手用だけでなく左手用も用意して（両手に装着して）使用するようにしてもよい。
【００８９】
（プログラム）
上記実施形態及び各変形例の携帯端末１０で実行されるプログラムは、インストール可能な形式又は実行可能な形式のファイルでＣＤ−ＲＯＭ、ＣＤ−Ｒ、メモリカード、ＤＶＤ（Digital  Versatile  Disk）、フレキシブルディスク（ＦＤ）等のコンピュータで読み取り可能な記憶媒体に記憶されて提供される。
【００９０】
また、上記実施形態及び各変形例の携帯端末１０で実行されるプログラムを、インターネット等のネットワークに接続されたコンピュータ上に格納し、ネットワーク経由でダウンロードさせることにより提供するようにしてもよい。また、上記実施形態及び各変形例の携帯端末１０で実行されるプログラムを、インターネット等のネットワーク経由で提供または配布するようにしてもよい。また、上記実施形態及び各変形例の携帯端末１０で実行されるプログラムを、ＲＯＭ等に予め組み込んで提供するようにしてもよい。
【００９１】
上記実施形態及び各変形例の携帯端末１０で実行されるプログラムは、上述した各部をコンピュータ上で実現させるためのモジュール構成となっている。実際のハードウェアとしては、例えば、ＣＰＵがＲＯＭからプログラムをＲＡＭ上に読み出して実行することにより、上記各機能部がコンピュータ上で実現されるようになっている。
【００９２】
なお、上記実施形態及び各変形例は、例として提示したものであり、発明の範囲を限定することは意図していない。上記新規な実施の形態は、その他の様々な形態で実施されることが可能であり、発明の要旨を逸脱しない範囲で、種々の省略、置き換え、変更を行うことができる。これらの実施の形態は、発明の範囲や要旨に含まれるとともに、特許請求の範囲に記載された発明とその均等の範囲に含まれる。
【符号の説明】
【００９３】
１  情報処理システム
１０−１、１０−２（１０）  携帯端末
２０  情報処理装置
１５１  送電部
１５３  命令情報受信部
１５５  状態判定部
１５７  記憶部
１５９  命令特定部
１６１  状態制御部
１６３  機能実行部
２５１  起動部
２５３  命令情報生成部
２５５  命令情報送信部
【先行技術文献】
【特許文献】
【００９４】
【特許文献１】特開平０９−０７３２８１号公報
【図１】
2018046477.tif 000003
【図２】
2018046477.tif 000004
【図３】
2018046477.tif 000005
【図４】
2018046477.tif 000006
【図５】
2018046477.tif 000007
【図６】
2018046477.tif 000008
【図７】
2018046477.tif 000009